(57)【要約】【課題】不特定多数の人が利用する車両において新たな魅力を車両の使用者に提供する。【解決手段】車両１０は、車両１０の位置を取得する測位部２２と、測位部２２によって取得した位置に訪れた回数をカウントする制御部２０と、を備えている。また、車両１０は、カウントされた回数が所定の回数を超えた場合に、当該位置へ行くことを車両１０の使用者に薦める、又は、当該位置に関する情報を車両の使用者に提供するヘッドアップディスプレイ１８を備えている。【選択図】図２
2019124479.tif 000002
【特許請求の範囲】
【請求項１】
車両の位置を取得する位置取得部と、
前記位置取得部によって取得した位置に訪れた回数をカウントするカウント部と、
前記カウント部よってカウントされた前記回数が所定の回数を超えた場合に、当該位置へ行くことを車両の使用者に薦める、又は、当該位置に関する情報を車両の使用者に提供する情報提供部と、
を備えた車両。
【請求項２】
前記位置に関する車両の使用者による評価情報が蓄積される蓄積部を備え、
前記情報提供部が、前記評価情報を車両の使用者に提供する請求項１に記載の車両。
【請求項３】
前記情報提供部が、前記位置に関する見どころポイントを車両の使用者に提供する請求項１又は請求項２に記載の車両。
【請求項４】
前記情報提供部が、季節、天候、年、月及び曜日の少なくとも１つの情報に応じて、前記位置へ行くことを車両の使用者に薦める、又は、当該位置に関する情報を車両の使用者に提供する請求項１〜請求項３のいずれか１項に記載の車両。
【発明の詳細な説明】
【技術分野】
【０００１】
本発明は、車両に関する。
【背景技術】
【０００２】
下記特許文献１には、人気の施設情報を車両の使用者に提供する車両案内システムが開示されている。この文献に記載された車両案内システムは、カーナビゲーション装置と、情報センタと、を含んで構成されている。そして、カーナビゲーション装置は、目的地として施設が設定されたときに、当該施設の固有名と当該施設のジャンル名と自車ナンバープレートの地域名とを関連付けたユーザー情報を情報センタにアップロードする。また、カーナビゲーション装置は、情報センタに対して地元人気度を含んだ施設情報のダウンロードを要求する。情報センタは、アップロードされて蓄積されたユーザー情報を当該ジャンルにおける施設固有名と地元人気度とを関係付けて分類する。そして、ダウンロード要求があったときに、指定されたジャンルにおける施設固有名と当該施設の地元人気度とを含んだ施設情報をダウンロードする。これにより、当該施設情報がカーナビゲーション装置を介して車両の使用者に提供されるようになっている。
【先行技術文献】
【特許文献】
【０００３】
【特許文献１】特開２００９−０９２５６７号公報
【発明の概要】
【発明が解決しようとする課題】
【０００４】
ところで、カーシェアリングのように不特定多数の人が利用する車両においても、新たな魅力を車両の使用者に提供できることが望ましい。
【０００５】
本発明は上記事実を考慮し、不特定多数の人が利用する車両において新たな魅力を車両の使用者に提供することを目的とする。
【課題を解決するための手段】
【０００６】
請求項１記載の車両は、車両の位置を取得する位置取得部と、前記位置取得部によって取得した位置に訪れた回数をカウントするカウント部と、前記カウント部よってカウントされた前記回数が所定の回数を超えた場合に、当該位置へ行くことを車両の使用者に薦める、又は、当該位置に関する情報を車両の使用者に提供する情報提供部と、を備えている。
【０００７】
請求項１記載の車両によれば、位置取得部によって取得した位置（場所）に訪れた回数がカウント部によってカウントされる。例えば、カーシェアリングのように不特定多数の人が利用する車両の場合、様々な人（使用者）が様々な場所に訪れ、その場所に訪れた回数がカウント部によってカウントされる。また、カウント部よってカウントされた回数が所定の回数を超えた場合、情報提供部は、カウントされた回数が所定の回数を超えた場所に行くことを車両の使用者に薦める、又は、当該場所に関する情報を車両の使用者に提供する。このように、請求項１記載の車両では、不特定多数の人が訪れる頻度の高い場所を車両の使用者へ薦めることができる、又は、不特定多数の人が訪れる頻度の高い場所の情報を車両の使用者へ提供することができる。
【０００８】
請求項２記載の車両は、請求項１に記載の車両において、前記位置に関する車両の使用者による評価情報が蓄積される蓄積部を備え、前記情報提供部が、前記評価情報を車両の使用者に提供する。
【０００９】
請求項２記載の車両によれば、車両の使用者が訪れた場所を車両の使用者が評価すると、当該評価情報が蓄積部に蓄積される。そして、情報提供部は、蓄積部に蓄積された評価情報を車両の使用者に提供する。これにより、車両の使用者は、当該評価情報を参考として、当該評価された場所へ行くか否か等を選択することができる。
【００１０】
請求項３記載の車両は、請求項１又は請求項２に記載の車両において、前記情報提供部が、前記位置に関する見どころポイントを車両の使用者に提供する。
【００１１】
請求項３記載の車両によれば、情報提供部が、見どころポイントを車両の使用者に提供する。これにより、車両の使用者は、当該見どころポイントを参考として、当該見どころポイントを有する場所へ行くか否か等を選択することができる。
【００１２】
請求項４記載の車両は、請求項１〜請求項３のいずれか１項に記載の車両において、前記情報提供部が、季節、天候、年、月及び曜日の少なくとも１つの情報に応じて、前記位置へ行くことを車両の使用者に薦める、又は、当該位置に関する情報を車両の使用者に提供する。
【００１３】
請求項４記載の車両によれば、季節、天候、年、月及び曜日によっては適切ではない案内又は情報の提供が車両の使用者になされることを抑制することができる。
【発明の効果】
【００１４】
本発明に係る車両は、不特定多数の人が利用する車両において新たな魅力を車両の使用者に提供できる、という優れた効果を有する。
【図面の簡単な説明】
【００１５】
【図１】本実施形態の車両における運転席及び助手席の前方側を示す図であり、車両の現在地がヘッドアップディスプレイに表示されている状態を示している。
【図２】本実施形態の車両における運転席及び助手席の前方側を示す図であり、所定の場所に行くことを車両の使用者に薦める案内がヘッドアップディスプレイに表示されている状態を示している。
【図３】本実施形態の車両における運転席及び助手席の前方側を示す図であり、所定の場所までの経路がヘッドアップディスプレイに表示されている状態を示している。
【図４】本実施形態の車両における運転席及び助手席の前方側を示す図であり、所定の場所の情報がヘッドアップディスプレイに表示されている状態を示している。
【図５】本実施形態の車両における運転席及び助手席の前方側を示す図であり、所定の場所までの経路及びクイズがヘッドアップディスプレイに表示されている状態を示している。
【発明を実施するための形態】
【００１６】
次に、図１〜図５を用いて本発明の実施形態に係る車両について説明する。なお、車両右側を矢印ＲＨで示し、車両左側を矢印ＬＨで示し、車両上側を矢印ＵＰで示す。また、以下の説明で、特記なく前後、左右、上下の方向を用いる場合は、車両前後方向の前後、車両左右方向の左右、車両上下方向の上下を示すものとする。
【００１７】
図１に示されるように、本実施形態の車両１０は、カーシェアリング等の不特定多数の人によって利用されることが想定された車両である。この車両１０は、使用者によって操作されるステアリングホイール１２を備えている。また、車両１０は、ステアリングホイール１２の前方側かつフロントウインドシールドガラス１４の後方側に配置され、インストルメントパネル１６上に設けられた情報提供部としてのヘッドアップディスプレイ１８を備えている。さらに、車両１０は、ヘッドアップディスプレイ１８に各種案内や情報等を表示させるカウント部及び蓄積部としての制御部２０を備えている。
【００１８】
ヘッドアップディスプレイ１８は、車両１０の使用者（運転手）がフロントウインドシールドガラス１４を通じて前方を視認することが可能な透明な板状の素材を用いて形成されている。このヘッドアップディスプレイ１８は、後述する制御部２０に接続されている。これにより、ヘッドアップディスプレイ１８には、後述する各種案内や情報が表示されるようになっている。
【００１９】
制御部２０は、ＣＰＵ、ＲＯＭ及びＲＡＭ等を含んで構成されている。この制御部２０には、地図のデータや各施設（観光地、飲食店、公園、コンビニエンスストア等の施設）の位置や施設情報のデータがあらかじめ格納されている。なお、制御部２０内のデータは、有線又は無線通信によって定期的に更新されるようにしてもよい。
【００２０】
また、制御部２０には、ＧＰＳレシーバやジャイロセンサ等によって構成された位置取得部としての測位部２２が接続されている。この測位部２２からの信号と制御部２０内の地図データに基づいて、車両１０の位置（現在地）がヘッドアップディスプレイ１８に表示されるようになっている。
【００２１】
また、制御部２０は、測位部２２によって取得した位置（場所）に訪れた回数をカウントする。例えば、特定の観光地、飲食店、公園、コンビニエンスストア等に訪れた回数をカウントする。
【００２２】
さらに、制御部２０は、車両１０の使用者が特定の観光地、飲食店、公園、コンビニエンスストア等に訪れたと判断した場合に、車両１０の使用者に当該場所の評価情報の入力を求める表示をヘッドアップディスプレイ１８に表示させる、又は当該場所の評価情報の入力を求める音声を図示しないスピーカーから出力させる。なお、車両１０の使用者が特定の観光地、飲食店、公園、コンビニエンスストア等に訪れたと判断する際のトリガは、車両の停車時間等をトリガとすればよい。
【００２３】
（本実施形態の作用並びに効果）
次に、本実施形態の作用並びに効果について説明する。
【００２４】
図１に示されるように、本実施形態の車両１０によれば、測位部２２によって取得した位置（場所）に訪れた回数が制御部２０によってカウントされる。カーシェアリングのように不特定多数の人が利用する本実施形態の車両１０の場合、様々な人（使用者）が様々な場所に訪れ、その場所に訪れた回数が制御部２０によってカウントされる。
【００２５】
また、制御部２０によってカウントされた回数が所定の回数を超えた場合で、かつ車両１０のスイッチが再びＯＮとされた際に（車両１０が再び運転可能とされた際に）、図２に示されるように、制御部２０は、カウントされた回数が所定の回数を超えた場所に行くことを車両１０の使用者に薦める案内をヘッドアップディスプレイ１８に表示させる。そして、使用者が、音声や操作部を操作することによって、当該場所へ行くことを選択すると、図３に示されるように、制御部２０は当該場所までの経路をヘッドアップディスプレイ１８に表示させる。
【００２６】
また、制御部２０によってカウントされた回数が所定の回数を超えた場合で、かつ車両１０のスイッチが再びＯＮとされた際に（車両１０が再び運転可能とされた際に）、図４に示されるように、制御部２０は、カウントされた回数が所定の回数を超えた場所の情報をヘッドアップディスプレイ１８に表示させることもできる。この時、制御部２０内にあらかじめ格納されていた「見どころポイント」もヘッドアップディスプレイ１８に表示される。なお、「見どころポイント」としては、桜等の植物や岬等の特定の場所、動物園や水族館で飼育されている動物等が表示されるが、他の見どころポイントが表示されてもよい。そして、使用者が、音声や操作部を操作することによって、当該場所へ行くことを選択すると、図３に示されるように、制御部２０は当該場所までの経路をヘッドアップディスプレイ１８に表示させる。
【００２７】
ここで、本実施形態では、制御部２０は、季節、天候、年、月及び曜日によっては、カウントされた回数が所定の回数を超えた場所に行くことを車両１０の使用者に薦めない場合、又は当該場所の情報を車両１０の使用者に提供しない場合もある。例えば、特定の季節、天候、年、月及び曜日に当該場所が営業していない場合等に、制御部２０は、当該場所に行くことを車両１０の使用者に薦めない、又は当該場所の情報を車両１０の使用者に提供しないようになっている。これにより、季節、天候、年、月及び曜日によっては適切ではない案内又は情報の提供が車両１０の使用者になされることを抑制することができる。
【００２８】
また、使用者が、音声や操作部を操作することによって、上記場所へ行くことを選択すると、図３に示された上記場所までの案内に加えて、図５に示されるように、上記場所に関するクイズを出題する。車両１０の使用者は、このクイズに対しての解答を音声や操作部を操作することによってすることもできるが、解答をせずに上記場所を訪れた際に直接確認することもできる。
【００２９】
以上説明したように、本実施形態では、不特定多数の人が利用する車両１０の使用者に新たな魅力を提供することができる。
【００３０】
なお、本実施形態では、前述した各種案内や各種情報をヘッドアップディスプレイ１８に表示させた例について説明したが、本発明はこれに限定されない。例えば、前述した各種案内や各種情報をナビゲーション装置の情報提供部としてのモニタに表示してもよい。また、前述した各種案内や各種情報を情報提供部としてのスピーカーを通じて音声によって提供してもよい。
【００３１】
以上、本発明の一実施形態について説明したが、本発明は、上記に限定されるものでなく、その主旨を逸脱しない範囲内において上記以外にも種々変形して実施することが可能であることは勿論である。
【符号の説明】
【００３２】
１０   車両
１２   ステアリングホイール
１４   フロントウインドシールドガラス
１６   インストルメントパネル
１８   ヘッドアップディスプレイ
２０   制御部
２２   測位部
【図１】
2019124479.tif 000003
【図２】
2019124479.tif 000004
【図３】
2019124479.tif 000005
【図４】
2019124479.tif 000006
【図５】
2019124479.tif 000007